(57)【要約】      （修正有）【課題】構造が簡単であり、安全機能と部品とが単一化、モジュール化でき、組み立てが簡易であり、価格競争力があるという目的を達成できるロック装置及びケースとロック装置との組立体を提供する。【解決手段】ケース１は側板１１１が設けられた本体１１と、少なくとも一つのカバー１２と、を含む。カバー１２には制限部材１２１が設けられる。カバー１２が本体１１に被される。ロック装置２は引動部２１と少なくとも一つの第１の枢着部２２とを含む。第１の枢着部２２が引動部２１の一端に接続される。第１の枢着部２２が側板１１１に枢着されることによって、ロック装置２を側板１１１に移動可能に設置させ、引動部２１が制限部材１２１の近くに移動した場合、引動部２１はカバー１２の開きが制限されるように制限部材１２１を係止することができる。【選択図】図１
0003207350.tif 000002
【実用新案登録請求の範囲】
【請求項１】
側板を有すると共に開口を有する本体と、制限部材が設けられたカバーとを含み、前記カバーが前記本体の前記開口に被された場合、前記制限部材が前記側板の外壁から突出されるケースと、
前記側板に枢着されるとともに、前記制限部材に係止されたロック位置と、これと異なるロック解除位置とを選択的に切換えるロック装置と、
を含むことを特徴とするケースとロック装置との組立体。
【請求項２】
前記側板の一側における前記カバーに近く且つ前記制限部材に対応する部位には貫通孔が設けられ、
前記制限部材は、前記貫通孔を通して前記側板の外壁から突出することを特徴とする請求項１に記載のケースとロック装置との組立体。
【請求項３】
前記ロック装置は、引動部と、前記引動部の少なくとも一端に接続される少なくとも一つの枢着部と、を含み、
前記側板には少なくとも一つの第２の枢着部が設けられ、
前記少なくとも一つの第１の枢着部と前記少なくとも一つの第２の枢着部とが互いに枢着されることを特徴とする請求項１に記載のケースとロック装置との組立体。
【請求項４】
前記ロック装置は棒体が折り曲げられてなるものであり、前記引動部の両端にそれぞれ接続される二つの第１の枢着部を含み、
前記側板には前記二つの第１の枢着部と対応する二つの第２の枢着部が設けられ、
各前記第１の枢着部及び各前記第２の枢着部が互いに枢着されることを特徴とする請求項３に記載のケースとロック装置との組立体。
【請求項５】
前記カバーにおける前記側板に近い側には前記側板の外壁から突出する周縁部が形成され、
前記ロック装置が前記ロック位置に位置する場合、前記ロック装置の一部が前記周縁部と前記制限部材との間に挟まれることを特徴とする請求項１〜４のいずれか１項に記載のケースとロック装置との組立体。
【請求項６】
前記側板には少なくとも一つのストッパーが取り付けられた少なくとも一つの取り付けベースが設けられ、
前記引動部が前記ロック位置に位置する場合、前記少なくとも一つのストッパーは前記ロック装置の移動を干渉することを特徴とする請求項１〜５のいずれか１項に記載のケースとロック装置との組立体。
【請求項７】
前記少なくとも一つの取り付けベースは第１の取り付け孔が設けられた第１の取り付けベースを含み、
前記少なくとも一つのストッパーは前記第１の取り付け孔に取り付けられる第１のストッパーを含み、
前記ロック装置が前記ロック位置に位置する場合、前記第１のストッパーは前記ロック装置の移動を干渉することを特徴とする請求項６に記載のケースとロック装置との組立体。
【請求項８】
前記少なくとも一つの取り付けベースは第２の取り付け孔が設けられた第２の取り付けベースを更に含み、
前記少なくとも一つのストッパーは第２のストッパーを更に含み、
前記ロック装置が前記ロック位置に位置する場合、前記ロック装置の一部が前記第１の取り付けベースと前記第２の取り付けベースとの間に位置し、前記第２のストッパーは前記第２の取り付け孔に取り付けられることによって前記ロック装置の移動を干渉することを特徴とする請求項７に記載のケースとロック装置との組立体。
【請求項９】
側板を有すると共に開口を有する本体と、制限部材が設けられたカバーとを含み、前記カバーが前記本体の前記開口に被された場合、前記制限部材が前記側板の外壁から突出されるケースに設けられるロック装置であって、
引動部と、
前記引動部の少なくとも一端に接続される少なくとも一つの第１の枢着部と、
を含み、
前記少なくとも一つの第１の枢着部が前記側板に枢着されるとともに、前記引動部が前記制限部材に係止されたロック位置と、これと異なるロック解除位置とに選択的に切換えることを特徴とするロック装置。
【請求項１０】
前記側板の一側における前記カバーに近く且つ前記制限部材に対応する部位には貫通孔が設けられ、
前記制限部材は、前記貫通孔を通して前記側板の外壁から突出することを特徴とする請求項９に記載のロック装置。
【請求項１１】
前記側板には少なくとも一つの第２の枢着部が設けられ、
前記少なくとも一つの第１の枢着部と前記少なくとも一つの第２の枢着部とが互いに枢着されることを特徴とする請求項９に記載のロック装置。
【請求項１２】
前記ロック装置は棒体が折り曲げられてなるものであり、前記引動部の両端にそれぞれ接続される二つの第１の枢着部を含み、
前記側板には前記二つの第１の枢着部と対応する二つの第２の枢着部が設けられ、
各前記第１の枢着部及び各前記第２の枢着部が互いに枢着されることを特徴とする請求項１１に記載のロック装置。
【請求項１３】
前記カバーにおける前記側板に近い側には前記側板の外壁から突出する周縁部が形成され、
前記ロック装置が前記ロック位置に位置する場合、前記ロック装置の一部が前記周縁部と前記制限部材との間に挟まれることを特徴とする請求項９〜１２のいずれか１項に記載のロック装置。
【請求項１４】
前記側板には少なくとも一つのストッパーが取り付けられた少なくとも一つの取り付けベースが設けられ、
前記ロック装置が前記ロック位置に位置する場合、前記少なくとも一つのストッパーは前記ロック装置の前記引動部の移動を干渉することを特徴とする請求項９〜１３のいずれか１項に記載のロック装置。
【請求項１５】
前記少なくとも一つの取り付けベースは、第１の取り付け孔が設けられている第１の取り付けベースと、第２の取り付け孔が設けられている第２の取り付けベースと、を含み、
前記少なくとも一つのストッパーは、第１のストッパー及び第２のストッパーを含み、
前記ロック装置が前記ロック位置に位置する場合、前記ロック装置の一部が前記第１の取り付けベース及び前記第２の取り付けベースとの間に位置し、
前記第１のストッパー及び／又は前記第２のストッパーが前記第１の取り付け孔及び／又は前記第２の取り付け孔に設置され、
前記第１のストッパー及び／又は前記第２のストッパーは前記ロック装置の前記引動部の移動を干渉することを特徴とする請求項１４に記載のロック装置。
【考案の詳細な説明】
【技術分野】
【０００１】
本考案はロック装置及びケースとロック装置との組立体に関し、特に、ケースのカバーが本体から容易に取り外されることを防止するためのロック装置及びケースとロック装置との組立体に関する。
【背景技術】
【０００２】
従来の電子装置のケースの本体とカバーとは一般にねじ止めの方式により結合されるが、ねじ止めにより本体に対するカバーの着脱が煩雑となり且つ時間がかかる。そこで、本体とカバーとがスライド係合の方式により互いに結合されることによって、ねじ止めが煩雑となり且つ時間がかかるという問題を解決した。ねじ止め又はスライド係合の方式では、カバーが本体から容易に取り外されるので、本体における電子部品（例えば、ハードディスク、光ディスクドライブ等）が露出してしまう。カバーが本体から容易に取り外されることにより電子部品が盗まれる可能性を防止するためには、錠又はロックセットを追加し、カバーと本体とを一体にロックすることによって、カバーが本体から容易に取り外されることが避けられる。
【０００３】
しかしながら、従来のロック装置は、その構造が複雑であり、金型製作コストが高いので、生産コストが高くなってしまう。このため、一般に在庫コストを節約しようと、一種類のロック装置だけが選択されることになる。要求が異なると、この要求を満足するために、設計変更及び部品追加が行われ、ひいては、外観の変更も行われることになる。これにより、コストが更に増加し、価格競争力が低下する。
【考案の概要】
【考案が解決しようとする課題】
【０００４】
構造が簡単であり、安全機能と部品とが単一化、モジュール化でき、組み立てが簡易であり、価格競争力があるという目的を達成できるロック装置及びケースとロック装置との組立体を提供することを課題とする。
【課題を解決するための手段】
【０００５】
上記した技術問題を解決するために、本考案は側板を有すると共に開口を有する本体と制限部材が設けられたカバーとを含み、このカバーがこの本体の開口に被された場合、この制限部材がこの側板の外壁から突出されるケースと、ロック位置とロック解除位置とに選択的に切換えられるロック装置であって、このロック装置がこのロック位置に位置する場合、このロック装置がこの制限部材を係止することができるロック装置とを含むケースとロック装置との組立体を提供する。
【０００６】
上記した技術問題を解決するために、本考案は側板が設けられると共に開口を有する本体と制限部材が設けられたカバーとを含み、このカバーがこの本体の開口に被された場合、この制限部材がこの側板の外壁から突出されるケースに設けられるロック装置であって、引動部と、この引動部の少なくとも一端に接続され、この少なくとも一つの第１の枢着部がこの側板に枢着されることによって、このロック装置をロック位置とロック解除位置とに選択的に切換え、このロック装置がこのロック位置に位置する場合、この引動部がこの制限部材を係止することができる少なくとも一つの第１の枢着部とを含むロック装置を更に提供する。
【考案の効果】
【０００７】
本考案のロック装置は引動部と本体の側板に枢着される第１の枢着部とを含み、このロック装置を側板に移動可能に設置させ、この引動部が制限部材の近くに移動した場合、この引動部は制限部材を係止することができるので、カバーの開きを制限するために用いられ、カバーが本体から容易に取り外されることは避けられる。本考案のロック装置は構造が簡単であることによって、金型製作コストを低下させるので、安全機能と部品とが単一化、モジュール化でき、組み立てが簡易であり、価格競争力があるという目的を達成できる。
【０００８】
なお、本考案は使いやすく、更にユーザが別に追加したストッパーと合わせて、設計を規定外の異なる形式のストッパーをロックできることに及ばせることによって、製品の安全性を向上させ、その適用範囲を拡大させることができる。クライアントにとっては、ロック方式の違いによって在庫を生じる必要がないので、コストが大きく節約される。
【図面の簡単な説明】
【０００９】
【図１】本考案のケースとロック装置との組立体が開いた状態の斜視図である。
【図２】本考案のケースとロック装置との組立体が開いた状態の他の角度からの斜視図である。
【図３】本考案のケースとロック装置との組立体がロックされた状態の斜視図である。
【図４】本考案のケースとロック装置との組立体がストッパーと合わされた状態の斜視図である。
【図５】本考案のケースとロック装置との組立体が他のストッパーと合わされた状態の斜視図である。
【考案を実施するための形態】
【００１０】
図１及び図２を参照する。本考案はケースとロック装置との組立体を提供する。このケースはパソコン又は電子装置などの品物のケースであってもよい。このケースとロック装置との組立体１００はケース１とロック装置２を含む。
【００１１】
このケース１は本体１１と少なくとも一つのカバー１２とを含む。本体１１は矩形の中空体を呈してもよいが、本体１１の形状は限られるものではない。本体１１の頂部及び底部は開口状を呈してもよい。つまり、本体１１の頂部又は底部は開口状を呈し、或いは、本体１１の頂部及び底部はいずれも開口状を呈する。本体１１には側板１１１が設けられている。本実施例において、この側板１１１は本体１１の後側板である。この本体１１は内部に電子部品（例えば、ハードディスク、光ディスクドライブ等）を収容することができる。
【００１２】
具体的には、この少なくとも一つのカバー１２は本体１１の開口状の頂部及び底部に対応するように設けられ、且つ本体１１に被されることができる。例えば、本体１１の頂部又は底部だけが開口状を呈する場合、本体１１の頂部又は底部に被されるカバー１２が対応に設けられる。本体１１の頂部及び底部がいずれも開口状を呈する場合、本体１１の頂部及び底部に被される二つのカバー１２が対応に設けられる。本実施例において、カバー１２が一つだけ設けられることを説明する。
【００１３】
このカバー１２には制限部材１２１が設けられている。この制限部材１２１は板体、棒体、ブロック又は他の構造であってもよく、これらに限られるものではない。この制限部材１２１はねじ止め、はんだ付け又はアンカー止め等の方式によりカバー１２（例えばカバー１２の内壁）に固設されることができる。この制限部材１２１はカバー１２における側板１１１に近い側に突出する。つまり、この制限部材１２１はカバー１２の後側に突出している。この側板１１１の一側におけるカバー１２に近い部位にも貫通孔１１３が対応に設けられている。この制限部材１２１は貫通孔１１３を通して側板１１１の外壁から突出し、この貫通孔１１３に位置決めされる。また、他の実施形態において、この本体１１の四側のカバー１２に近い位置にも複数の第１の係合部１１２が更に設けられてもよく、このカバー１２の四側にも複数の第２の係合部１２３が対応に設けられてもよい。カバー１２が本体１１に被された場合、これらの第１の係合部１１２とこれらの第２の係合部１２３とは互いにスライド係合されることによって、本体１１とカバー１２とがスライド係合の方式により互いに結合される。
【００１４】
なお、このカバー１２の側辺には周縁部１２２が外へ延伸して形成されてもよい。言い換えれば、この周縁部１２２はこの本体１１の外壁から突出する。好ましくは、この周縁部１２２はこの制限部材１２１を完全に覆うことができる。つまり、この周縁部１２２がこの本体１１の外壁から突出する距離はこの制限部材１２１が貫通孔１１３を通して側板１１１の外壁から突出する距離に相当する。実際の設計要求に答えるためには、このカバー１２における側板１１１に近い側だけには周縁部１２２が形成され、且つこの周縁部１２２がカバー１２の一側の全体又は一部から延伸してもよい。カバー１２が本体１１に被された場合、この周縁部１２２は側板１１１の外壁から突出することによって、この制限部材１２１をほぼ覆う。
【００１５】
このロック装置２の少なくとも一端は本体１１の側板１１１に枢着されて、ロック位置とロック解除位置とに選択的に切換えらえるように側板１１１にロック装置２を移動可能に設置させる。カバー１２が本体１１の開口に被され、このロック装置２が制限部材１２１の近くに移動した場合（即ち、このロック装置２がロック位置に位置する場合）、このロック装置２の一部は制限部材１２１の頂側に位置している。このロック装置２はカバー１２の開きが制限されるように制限部材１２１を係止することができることによって、カバー１２が本体１１から容易に取り外されることが避けられる。
【００１６】
本実施例において、このロック装置２は棒体が折り曲げられてなるものであり、例えば金属の棒体又はプラスチックの棒体であってもよい。このロック装置２の材料は限られるものではない。他の実施例において、このロック装置２は弾力性のある線材又はフック付きチエンであってもよい。このロック装置２の構造は限られるものではない。このロック装置２は引動部２１と少なくとも一つの第１の枢着部２２とを含む。引動部２１はＵ字形又はＣ字形に折り曲げられてもよいが、その形状は限られるものではない。この少なくとも一つの第１の枢着部２２は引動部２１の少なくとも一端に接続され、側板１１１に少なくとも一つの第２の枢着部１１４が設けられ、第１の枢着部２２と第２の枢着部１１４とが互いに枢着される。具体的には、第１の枢着部２２及び第２の枢着部１１４は対応するように一つ又は二つ設けられてもよいが、本実施例に例示されるように、この引動部２１に二つの第１の枢着部２２が設けられ、この側板１１１に二つの第２の枢着部１１４が設けられ、二つの第１の枢着部２２が引動部２１の両端にそれぞれ接続されている。第１の枢着部２２は枢軸又は軸孔であることに対して、第２の枢着部１１４は軸孔又は枢軸であってもよい。二つの第１の枢着部２２と二つの第２の枢着部１１４とは互いに枢着されることによって、このロック装置２を側板１１１に枢転させることができる。図３に示すように、このロック装置２が制限部材１２１の近くに回転した場合、このロック装置２の一部は周縁部１２２と制限部材１２１との間に挟まれるので、このロック装置２により制限部材１２１をより安定的に係止することができる。
【００１７】
他の実施例において、一つの第１の枢着部２２及び一つの第２の枢着部１１４だけが設けられてもよい。この第１の枢着部２２が引動部２１の一端に接続され、第１の枢着部２２と第２の枢着部１１４とが互いに枢着されることによって、同様にこのロック装置２を側板１１１に枢着させることができる。なお、このロック装置２は枢着型式及び構造が限られるものではない。このロック装置２は回転軸、ヒンジ又は他の枢着構造を利用して側板１１１に枢着されてもよい。
【００１８】
図３を参照する。本考案ロック装置２は本体１１の側板１１１にロック位置とロック解除位置とに選択的に移動可能に設けられている。このロック装置２が制限部材１２１の近くに回転した場合（即ち、このロック装置２がロック位置に位置する場合）、このロック装置２は制限部材１２１を係止することができ、カバー１２が本体１１から離れる方向への移動、つまり本体１１の頂部に被されるカバー１２が上方向への移動、及び／又は本体１１の底部に被されるカバー１２が下方向への移動を制限することができるので、カバー１２の開きを制限するために用いられ、カバー１２が本体１１から容易に取り外されることによって電子部品が盗まれてしまう可能性を防止することができる。
【００１９】
また、図４及び図５を参照する。本考案は第１のストッパー３、第２のストッパー４等の少なくとも一つのストッパーを更に合わせたものであってもよい。一般には、ケース１が容易に取られないように、別に鋼ロープと合わせてケース１を比較的な大型又は固定の家具に連結するだけでなく、本実施例において、このロック装置２の引動部２１が制限部材１２１を係止した後に、この引動部２１を干渉してこのロック装置２の任意回転が止められて制限されてもよい。具体的には、この本体１１の側板１１１に第１の取り付けベース１１５、第２の取り付けベース１１６等の少なくとも一つの取り付けベースが設けられてもよい。ストッパーは取り付けベースに取り付けられて、このロック装置２の回転が止められて制限されるために用いられ、安全性を更に向上させることができる。
【００２０】
本実施例において、この第１の取り付けベース１１５は立設されるベース体であり、側板１１１に垂直なものである。第１の取り付けベース１１５には第１の取り付け孔１１７が設けられている。この第１のストッパー３は普通の錠であってもよい。このロック装置２の引動部２１が制限部材１２１に係止された後、この第１のストッパー３を更に第１の取り付け孔１１７に取り付けることによって、この第１のストッパー３によりこの引動部２１を干渉して、ロック装置２の回転（図４に示す）が止められて制限される。つまり、この第１のストッパー３がロック装置２の移動を干渉することができるので、好ましいロック効果を達成できる。
【００２１】
本実施例において、この第２の取り付けベース１１６は立設されるベース体であり、側板１１１に平行なものである。第２の取り付けベース１１６には第２の取り付け孔１１８が設けられている。この第２のストッパー４はケンジントンロック（Ｋｅｎｓｉｎｔｏｎ  Ｌｏｃｋ）のような普通のロックセットであってもよい。同様に、この第２のストッパー４を更に第２の取り付け孔１１８に取り付けることによって、この第２のストッパー４によりこの引動部２１を干渉して、ロック装置２の回転（図５に示す）が止められて制限される。つまり、この第２のストッパー４がロック装置２の移動を干渉することができるので、好ましいロック効果を達成できる。この第２のストッパー４はケース１が容易に取られないように、鋼ロープと合わせてケース１を比較的な大型又は固定の家具に連結してもよい。
【００２２】
本実施例において、好ましくは、この本体１１の側板１１１に第１の取り付けベース１１５及び第２の取り付けベース１１６が同時に設けられ、且つ両者の間は所定の距離をおいて、このロック装置２の上記引動部２１を収容できるスリットが形成される。このロック装置２が制限部材１２１の近くに回転した場合、このロック装置２は第１の取り付けベース１１５と第２の取り付けベース１１６との間に位置して、このロック装置２が第１のストッパー３又は第２のストッパー４に、或いは、第１のストッパー３及び第２のストッパー４に同時に止められて制限されることができるので、より好ましいロック効果を達成でき、ケース１の安全性を向上させて、盗まれてしまう可能性が避けられる。本実施例において、取り付けベースに錠、ロックセット等のストッパーが取り付けられたが、このストッパーの型式及び構造は限られるものではなく、止めて制限するように機能すればよい。
【００２３】
本考案のロック装置は側板に枢着され、このロック装置を移動可能に側板に設置させる。このロック装置がカバーに近い制限部材に移動した場合、このロック装置は制限部材を係止することができるので、カバーの開きを制限するために用いられ、カバーが本体から容易に取り外されることは避けられる。本考案のロック装置は構造が簡単であることによって、金型製作コストを低下させるので、安全機能と部品とが単一化、モジュール化でき、組み立てが簡易であり、価格競争力があるという目的を達成できる。
【００２４】
なお、本考案は使いやすくて、更にユーザが別に追加したストッパーと合わせて、設計を規定外の異なる形式のストッパー（例えば、錠、ロックセット等）をロックできることに及ばせることによって、製品の安全性を向上させ、その適用範囲を拡大させることができる。クライアントにとっては、ロック方式の違いによって在庫を生じる必要がないので、コストが大きく節約される。
【００２５】
以上に記載のことは本考案の好ましい実施例に過ぎず、本考案の実用新案登録請求の範囲を限定するものではない。本考案の明細書及び図面の内容に基づき為された等価変化はいずれも本考案の保護範囲に属するものとする。
【符号の説明】
【００２６】
１００    ケースとロック装置との組立体
１    ケース
１１    本体
１１１    側板
１１２    第１の係合部
１１３    貫通孔
１１４    第２の枢着部
１１５    第１の取り付けベース
１１６    第２の取り付けベース
１１７    第１の取り付け孔
１１８    第２の取り付け孔
１２    カバー
１２１    制限部材
１２２    周縁部
１２３    第２の係合部
２    ロック装置
２１    引動部
２２    第１の枢着部
３    第１のストッパー
４    第２のストッパー
【図１】
0003207350.tif 000003
【図２】
0003207350.tif 000004
【図３】
0003207350.tif 000005
【図４】
0003207350.tif 000006
【図５】
0003207350.tif 000007
【手続補正書】
【提出日】平成28年9月7日(2016.9.7)
【手続補正１】
【補正対象書類名】実用新案登録請求の範囲
【補正対象項目名】請求項３
【補正方法】変更
【補正の内容】
【請求項３】
前記ロック装置は、引動部と、前記引動部の少なくとも一端に接続される少なくとも一つの第１の枢着部と、を含み、
前記側板には少なくとも一つの第２の枢着部が設けられ、
前記少なくとも一つの第１の枢着部と前記少なくとも一つの第２の枢着部とが互いに枢着されることを特徴とする請求項１に記載のケースとロック装置との組立体。
【手続補正２】
【補正対象書類名】実用新案登録請求の範囲
【補正対象項目名】請求項６
【補正方法】変更
【補正の内容】
【請求項６】
前記側板には少なくとも一つのストッパーが取り付けられた少なくとも一つの取り付けベースが設けられ、
前記ロック装置が前記ロック位置に位置する場合、前記少なくとも一つのストッパーは前記ロック装置の移動を干渉することを特徴とする請求項１〜５の何れか１項に記載のケースとロック装置との組立体。